(57)【要約】【課題】梱包、輸送等、物流の面で効率化を図ることができるとともに、現場で簡単に施工可能な化粧シートを用いる玄関框の表装方法を提供する。【解決手段】化粧フィルム１１と基材１２とを貼り合わせ、該基材１２の裏面に予めＶ字溝１３加工を施した化粧シート１を用いて、玄関框を表装する方法であって、化粧フィルム１１の上記Ｖ字溝１３部に相当する位置に沿って保護テープ３を着脱自在に延設するとともに、上記Ｖ字溝１３を略直角に折り曲げて上記玄関框に接着させ、接着終了後に上記保護テープ３を除去することを特徴とする玄関框の表装方法【選択図】図１
2004270316.tif 000002
【特許請求の範囲】
【請求項１】
化粧フィルムと基材とを貼り合わせ、該基材の裏面に予めＶ字溝加工を施した化粧シートを用いて、玄関框を表装する方法であって、化粧フィルムの上記Ｖ字溝部に相当する位置に沿って保護テープを着脱自在に延設するとともに、上記Ｖ字溝を略直角に折り曲げて上記玄関框に接着させ、接着終了後に上記保護テープを除去することを特徴とする玄関框の表装方法。
【請求項２】
上記保護テープが粘着テープである請求項１に記載の玄関框の表装方法。
【請求項３】
上記化粧シートの厚みが１．５〜１５ｍｍである請求項１に記載の玄関框の表装方法。
【請求項４】
上記化粧フィルムが木目模様を有する請求項１に記載の玄関框の表装方法。
【請求項５】
上記基材が木粉複合樹脂板から構成される請求項１に記載の玄関框の表装方法。
【発明の詳細な説明】
【０００１】
【発明の属する技術分野】
本発明は、玄関框の表装方法に関する。さらに詳しくは、既存の玄関框に化粧シートを貼着してリフォームする、玄関框の表装方法に関する。
【０００２】
【従来の技術】
従来、玄関回りをリフォームする際、既設の框に被装して用いられる表装材や表装方法は公知であり、種々の技術が知られている（特許文献１、２、３参照。）
【０００３】
【特許文献１】
特開昭６２−１３５３６１号公報（第１−２頁、第１図、第２図、第３図）
【特許文献２】
特開２００２−８６４１９号公報（第１−３頁、第１図、第２図，第３図）
【特許文献３】
特開平７−１１７１３６号公報（第１−３頁、第１図、第４図、第６図）
【０００４】
【発明が解決しようとする課題】
玄関周辺、とくに框のリフォームは、通常、芯材の表面に貼着された木質化粧単板や、化粧シート等を貼り替えることにより行われている。例えば、化粧シートを用いる場合は、現場で直ちに既存の框に被装できるように、化粧シートの裏面にＶ字溝を切り込み、略直角に折り曲げて、側面視略Ｌ字型に形成されたリフォーム用框が既に商品化されている。
【０００５】
しかしながら、化粧シートを側面視略Ｌ字型に形成した形態では、嵩ばるため、梱包、輸送等、物流の面における効率がよくないという問題がある。さらに、物流時に、側面視略Ｌ字型部分のエッジ部が損傷するという問題もある。そこで、本発明は上記問題を解決して、梱包、輸送等、物流の面で効率化を図ることができるとともに、現場で、簡単に施工可能な化粧シートを用いる玄関框の表装方法を提供することをその課題とする。
【０００６】
【課題を解決するための手段】
本発明は、上記課題を解決するために考え出されたものであって、つぎのような技術的手段を講じている。すなわち、本発明によれば、化粧フィルムと基材とを貼り合わせ、該基材の裏面に予めＶ字溝加工を施した化粧シートを用いて、玄関框を表装する方法であって、化粧フィルムの上記Ｖ字溝部に相当する位置に沿って保護テープを着脱自在に延設するとともに、上記Ｖ字溝を略直角に折り曲げて上記玄関框に接着させ、接着終了後に上記保護テープを除去することを特徴とする玄関框の表装方法が提供される。このようにすることによって、梱包、輸送等、物流面での効率化を図ることができるとともに、簡単に、優れた仕上がりで、既存の玄関框に化粧シートを接着することができる。
【０００７】
上記保護テープが粘着テープであることが好ましい。粘着テープが、Ｖ字溝の谷部分を構成する化粧フィルムの上面に着脱自在に延設され、補強するため、折り曲げ時にＶ字溝が裂開することや、白化を防止するとともに、接着終了後には、簡単に除くことができる。
【０００８】
上記化粧シートの厚みを１．５〜１５ｍｍとすることが好ましい。このようにすることによって、現場の既存の玄関框の仕様に合わせて、適切な厚みで既存框をリフォームすることができる。
【０００９】
上記化粧フィルムが木目模様を有するものであることが好ましい。このようにすることによって、天然木調の自然な外観を有する玄関框にリフォームすることができる。
【００１０】
上記基材が木粉複合樹脂板から構成されることが好ましい。例えば、木粉、ポリオレフィン樹脂等を含む木粉複合樹脂板を基材に用いることによって、Ｖ字溝の溝加工が容易にできるとともに、リフォーム後の玄関框に適当なクッション性を与え、快適な使用感をもたらすことができる。
【００１１】
【発明の実施の形態】
以下、本発明の好ましい実施の形態について、図面を参照して、さらに詳細に説明する。図１は、本発明にかかる玄関框の表装方法に用いる化粧シート１を示す斜視図である。図１において、大きさが、半間×１間の化粧シート１は、木目模様の化粧フィルム１１と、木粉複合樹脂板からなる基材２とを貼り合わせてなり、木粉複合樹脂板の裏面には、Ｖ字溝１３が切り込まれている。
【００１２】
以下、上記化粧シート１を用いて框をリフォームする方法につき、図面を参照して説明する。まず、図２の斜視図に示す既存框２の横幅Ｗ、奥行きｄ１、縦ｄ２の長さをそれぞれ測定し、それに合わせて、化粧シート１を切断する。すなわち、図２の既存框２における、ｄ１とｄ２の合計の長さｄに合わせ、図１に示す化粧シート１を幅ｄで切断するとともに、框の横幅に合わせて、長さＷで切り取る。
【００１３】
上記のようにして、切り取られた化粧シート１は、そのＶ字溝１３に相当する位置に沿って、保護テープ３として粘着テープを延設し、図３（ａ）に示すように奥行き部分ｄ１を既存框２の上面に両面粘着テープで仮止めした後、接着する。ついで、図３（ｂ）に示すように、Ｖ字溝１３部分を折り曲げ、既存框２の正面に縦部分ｄ２を接着剤４で接着する。このとき、Ｖ字溝１３の谷部分は、化粧フィルム１１のみで構成されているが、保護テープ３で補強されているため、折り曲げ時に裂開したり、化粧フィルム１１が白化することを防止できる。上記のようにして、既存框２の角部にきっちりと、化粧シート１を被装し、接着が完全となるまでは、図３（ｃ）に示すように保護テープ３は、貼着したままにしておく。
【００１４】
接着が完了したら、保護テープ３を除去し、かくして、既存框２に化粧シート１を接着することができる。図４に本発明にかかる玄関框の表装方法を実施した既存框２の斜視図を示す。図４から、本発明にかかる玄関框の表装方法を実施すれば、天然木調の自然な外観を有する玄関框にリフォームできることが明らかである。なお、図１に示す化粧シート１は、３つのＶ字溝１３を有しているため、３件の玄関框のリフォームに対応できる。しかしながら、図１に示す半間×１間の大きさの化粧シート１のみならず、種々の大きさとすること可能であり、またＶ字溝１３も３つに限られることはない。このように、本発明にかかる化粧シート１は、種々に設計変更可能であり、いずれも本発明の技術範囲に属する。
【００１５】
【発明の効果】
以上述べたように、請求項１に記載の発明は、化粧フィルム１１と基材１２とを貼り合わせ、該基材１２の裏面に予めＶ字溝１３加工を施した化粧シート１を用いて、玄関框を表装する方法であって、化粧フィルム１１の上記Ｖ字溝１３部に相当する位置に沿って保護テープ３を着脱自在に延設するとともに、上記Ｖ字溝１３を略直角に折り曲げて上記玄関框に接着させ、接着終了後に上記保護テープ３を除去することを特徴とする玄関框の表装方法である。このようにすることによって、梱包、輸送等、物流面での効率化を図ることができるとともに、簡単に、優れた仕上がりで、既存の玄関框に化粧シート１を接着することができる。
【００１６】
請求項２に記載の発明は、上記保護テープ３が粘着テープとされる。このようにすることによって、粘着テープが、Ｖ字溝１３の谷部分を構成する化粧フィルム１１の上面に着脱自在に延設され、補強するため、請求項１に記載の発明の効果に加えて、折り曲げ時にＶ字溝１３が裂開することや、白化を防止するとともに、接着終了後に、簡単に除くことができる。
【００１７】
請求項３に記載の発明は、上記化粧シート１の厚みを１．５〜１５ｍｍとされる。このようにすることによって、請求項１に記載の発明の効果に加えて、現場の既存の玄関框２の仕様に合わせて、適切な厚みで既存框をリフォームすることができる。
【００１８】
請求項４に記載の発明は、上記化粧フィルム１１が木目模様を有するものとされる。このようにすることによって、請求項１に記載の発明の効果に加えて、天然木調の自然な外観を有する玄関框にリフォームすることができる。
【００１９】
請求項５に記載の発明は、上記基材１２が木粉複合樹脂板から構成される。例えば、木粉、ポリオレフィン樹脂等を含む木粉複合樹脂板を基材に用いることによって、請求項１に記載の発明の効果に加えて、Ｖ字溝１３の溝加工が容易にできるとともに、リフォーム後の玄関框に適当なクッション性を与え、快適な使用感をもたらすことができる。
【図面の簡単な説明】
【図１】本発明の玄関框の表装方法に用いる化粧シートを示す斜視図である。
【図２】既存の框を示す斜視図である。
【図３】（ａ）、（ｂ）、（ｃ）
既存の框に本発明の玄関框の表装方法を実施するための説明図である。
【図４】本発明の玄関框の表装方法を実施した既存框を示す斜視図である。
【符号の説明】
１          本発明の方法に用いる化粧シート
１１        化粧フィルム
１２        基材
１３        Ｖ字溝
２          既存框
３          保護テープ
４          接着剤
【図１】
2004270316.tif 000003
【図２】
2004270316.tif 000004
【図３】
2004270316.tif 000005
【図４】
2004270316.tif 000006